(57)【要約】【課題】  ホストならびにホスト内の情報管理マスタと端末管理マスタを不要にすることにより、安価で、情報管理マスタのテーブル作成の煩わしさから開放されるとともに、通信相手の設定を簡単にすることにより操作性がよい情報入力端末とそれを用いた情報通信システムを提供する。【解決手段】  情報入力端末２６に内蔵されているバーコード読取部２で、情報端末２０に貼られている、もしくは印字されている識別情報を示すバーコード１３を読み取り、情報入力端末２６に内蔵されている不揮発性のメモリまたはバックアップされた揮発性のメモリ２３に登録する。情報入力端末２６は、バーコード読取部２で読み取りにより登録された識別情報を持つ相手のみと通信を行うものである。【選択図】  図１
2004280774.tif 000002
【特許請求の範囲】
【請求項１】
外部機器との間で通信を行う第１の通信部と固有の識別情報とを有する情報端末と、外部機器との間で通信を行う第２の通信部と識別情報を読み取る識別情報読取部とを有する情報入力端末とを備え、前記情報入力端末は前記情報端末が有する固有の識別情報を読み取り、かつ読み取った識別情報を有する情報端末と通信を行う情報通信システム。
【請求項２】
外部機器との間で通信を行う第１の通信部と固有の識別情報とを有する情報端末と、外部機器との間で通信を行う第２の通信部と識別情報を読み取る識別情報読取部とを有する情報入力端末とを備え、前記情報入力端末は前記情報端末が有する固有の識別情報を読み取り、かつ読み取った識別情報を有する前記情報端末とのみ通信を行うように、前記情報入力端末と前記情報端末とを一対一に対応付けた情報通信システム。
【請求項３】
外部機器との間で通信を行う第１の通信部と固有の識別情報とを有する情報端末と、外部機器との間で通信を行う第２の通信部と識別情報を読み取る識別情報読取部とを有する複数の情報入力端末とを備え、複数の前記情報入力端末は前記情報端末が有する固有の識別情報を読み取り、かつ読み取った識別情報を有する１つの情報端末とのみ通信を行うように、複数の前記情報入力端末と前記情報端末とを複数対一に対応付けた情報通信システム。
【請求項４】
情報端末は通信アダプタである請求項１から３のいずれか１項に記載の情報通信システム。
【請求項５】
通信アダプタは外部の機器との間で通信を行う第３の通信部を有する請求項４に記載の情報通信システム。
【請求項６】
外部機器との間で通信を行う第１の通信部と固有の識別情報とを有する情報出力装置と、外部機器との間で通信を行う第２の通信部と識別情報を読み取る識別情報読取部とを有する情報入力端末とを備え、前記情報入力端末は前記情報出力装置が有する固有の識別情報を読み取り、かつ読み取った識別情報を有する情報出力装置と通信し、前記情報出力装置は前記情報入力端末が有する情報を出力する情報通信システム。
【請求項７】
外部機器との間で通信を行う第１の通信部と固有の識別情報とを有する情報出力装置と、外部機器との間で通信を行う第２の通信部と識別情報を読み取る識別情報読取部とを有する情報入力端末とを備え、前記情報入力端末は前記情報出力装置が有する固有の識別情報を読み取り、かつ読み取った識別情報を有する情報出力装置とのみ通信を行うように前記情報入力端末と前記情報出力装置とを一対一に対応付けた情報通信システム。
【請求項８】
外部機器との間で通信を行う第１の通信部と固有の識別情報とを有する情報出力装置と、外部機器との間で通信を行う第２の通信部と識別情報を読み取る識別情報読取部とを有する複数の情報入力端末とを備え、複数の前記情報入力端末は前記情報出力装置が有する固有の識別情報を読み取り、かつ読み取った識別情報を有する１つの情報出力装置とのみ通信を行うように、複数の前記情報入力端末と前記情報出力装置とを複数対一に対応付けた情報通信システム。
【請求項９】
情報出力装置は設置可能または携帯可能なプリンタである請求項６から８のいずれか１項に記載の情報通信システム。
【請求項１０】
情報入力端末はバーコードリーダであり、識別情報はバーコードで表される請求項１から９のいずれか１項に記載の情報通信システム。
【請求項１１】
情報入力端末は２次元コードリーダであり、識別情報は２次元コードで表される請求項１から９のいずれか１項に記載の情報通信システム。
【請求項１２】
情報入力端末はタグリーダライタであり、識別情報はタグに記憶されている請求項１から９のいずれか１項に記載の情報通信システム。
【請求項１３】
無線により通信を行う請求項１から１２のいずれか１項に記載の情報通信システム。
【請求項１４】
光通信により通信を行う請求項１から１２のいずれか１項に記載の情報通信システム。
【請求項１５】
情報入力端末は不揮発メモリまたはバックアップされた揮発性メモリを備え、読み取った識別情報を、前記不揮発性メモリまたはバックアップされた前記揮発性メモリに記憶する請求項１から１４のいずれか１項に記載の情報通信システム。
【請求項１６】
情報入力端末はキー入力部を備え、所定のキーを押しながら読み取った識別情報のみを有効とする請求項１から１５のいずれか１項に記載の情報通信システム。
【請求項１７】
情報入力端末はキー入力部を備え、識別情報を読み取った後、所定のキーを押したときのみ、読み取った識別情報を有効とする請求項１から１５のいずれか１項に記載の情報通信システム。
【請求項１８】
情報入力端末はキー入力部とタイマを備え、所定のキーを押してから前記タイマの所定時間が経過するまでの間に読み取った識別情報のみを有効とする請求項１から１５のいずれか１項に記載の情報通信システム。
【請求項１９】
情報入力端末はタイマを備え、電源投入時から前記タイマの所定時間が経過するまでの間に読み取った識別情報のみを有効とする請求項１から１５のいずれか１項に記載の情報通信システム。
【請求項２０】
情報端末が有する固有の識別情報を読み取る識別情報読取部と、前記情報端末と通信を行う通信部とを備え、前記情報端末の識別情報を読み取り、かつ読み取った前記識別情報を有する前記情報端末と通信を行う情報入力端末。
【請求項２１】
情報端末が有する固有の識別情報を読み取る識別情報読取部と、前記情報端末と通信を行う通信部とを備え、前記情報端末の識別情報を読み取り、かつ読み取った前記識別情報を有する前記情報端末とのみ通信を行うように前記情報端末と一対一に対応付けた情報入力端末。
【請求項２２】
情報端末は通信アダプタである請求項２０または２１に記載の情報入力端末。
【請求項２３】
通信アダプタは外部の機器との間で通信を行う第３の通信部を有する請求項２２に記載の情報入力端末。
【請求項２４】
情報出力装置が有する固有の識別情報を読み取る識別情報読取部と、前記情報出力装置と通信を行う通信部とを備え、前記情報出力装置の識別情報を読み取り、かつ読み取った前記識別情報を有する前記情報出力装置と通信を行う情報入力端末。
【請求項２５】
情報出力装置が有する固有の識別情報を読み取る識別情報読取部と、前記情報出力装置と通信を行う通信部とを備え、前記情報出力装置の識別情報を読み取り、かつ読み取った前記識別情報を有する前記情報出力装置とのみ通信を行うように前記情報出力装置と一対一に対応付けた情報入力端末。
【請求項２６】
情報入力端末は不揮発メモリまたはバックアップされた揮発性メモリを備え、読み取った識別情報を、前記不揮発性メモリまたはバックアップされた前記揮発性メモリに記憶する請求項２０から２５のいずれか１項に記載の情報入力端末。
【請求項２７】
情報入力端末はキー入力部を備え、所定のキーを押しながら読み取った識別情報のみを有効とする請求項２０から２６のいずれか１項に記載の情報入力端末。
【請求項２８】
情報入力端末はキー入力部を備え、識別情報を読み取った後、所定のキーを押したときのみ、読み取った識別情報を有効とする請求項２０から２６のいずれか１項に記載の情報入力端末。
【請求項２９】
情報入力端末はキー入力部とタイマを備え、所定のキーを押してから前記タイマの所定時間が経過するまでの間に読み取った識別情報のみを有効とする請求項２０から２６のいずれか１項に記載の情報入力端末。
【請求項３０】
情報入力端末はタイマを備え、電源投入時から前記タイマの所定時間が経過するまでの間に読み取った識別情報のみを有効とする請求項２０から２６のいずれか１項に記載の情報入力端末。
【請求項３１】
携帯可能なプリンタが有するバーコードで表される識別情報を読み取る識別情報読取部と、前記プリンタと通信を行う通信部とを備え、前記プリンタの識別情報を読み取り、かつ読み取った前記識別情報を有する前記プリンタと通信を行うバーコードリーダ。
【請求項３２】
携帯可能なプリンタが有するバーコードで表される識別情報を読み取る識別情報読取部と、前記プリンタと通信を行う通信部とを備え、前記プリンタの識別情報を読み取り、かつ読み取った前記識別情報を有する前記プリンタとのみ通信を行うように前記プリンタと一対一に対応付けたバーコードリーダ。
【発明の詳細な説明】
【技術分野】
【０００１】
本発明は、バーコードや２次元コード等で表された情報を読み取るバーコードリーダ等の情報入力端末および情報通信システムに関するものである。
【背景技術】
【０００２】
従来、例えばバーコードラベルなどの読み取り対象に光を照射し、バーコードラベルからの反射光を受光してバーコードラベルの画像データであるバーコードデータを読み取るバーコードリーダが知られている。またバーコードの代わりに２次元コードやタグを用いるものも一般的に知られている。
【０００３】
従来の情報入力端末とそれを用いた情報通信システムの構成図を図１１示す。１は情報入力端末で、識別情報読取部であるバーコード読取部２でラベルプリンタ１１の識別情報（ＩＤ）を示すバーコード１３を読み取る。情報入力端末１から情報入力端末１の識別情報とラベルプリンタ１１の識別情報とを、通信部４から無線基地局５を経由しホスト６へ送る。ホスト６では、端末管理マスタ８に情報入力端末１の識別情報とラベルプリンタ１１の識別情報が予め登録される。ここまでが作業の準備段階となる。
【０００４】
実際の作業では、商品に取付けられたバーコードを情報入力端末１のバーコード読取部２で読み取り、入庫数量をキー入力部であるキー３で入力すると、入庫数量及び情報入力端末１の識別情報を通信部４から無線基地局５を経由しホスト６に送信する。ホスト６内で、バーコードデータおよび情報入力端末１の識別情報をもとに、物品管理マスタ７および端末管理マスタ８より、前記商品の品名、保管場所等の商品情報およびラベルプリンタ１１が選択され、商品情報をラベルプリンタ１１の接続されたパーソナルコンピュータ（以下ＰＣと記述する）１０に無線通信装置９を経由して送信し、ＰＣ１０で受信した情報を、ラベルプリンタ１１に印刷する。
【０００５】
しかし、従来の情報入力端末とそれを用いた情報通信システムには以下の課題があった。
【０００６】
情報入力端末１からホスト６へ情報入力端末１の識別情報とラベルプリンタ１１の識別情報ならびに商品のバーコードデータを送る必要があり、ホスト６ならびにホスト６内に物品管理マスタ７と端末管理マスタ８を必要とした。つまり、商品のバーコード情報に応じて出力先を決めるため、ホスト６が必ず必要になり、システムが高価になるとともに、予め物品管理マスタ７のテーブル作成が必要であるという課題があった。
【特許文献１】特開２００２−８０１１１号公報（第３頁、第１図）
【発明の開示】
【発明が解決しようとする課題】
【０００７】
上記従来の技術の問題点に鑑み、本発明が解決しようとする課題は、安価で、かつ作業効率の向上と操作性がよい情報入力端末とそれを用いた情報通信システムを提供することにある。
【課題を解決するための手段】
【０００８】
以上の目的を達成するために本発明の情報通信システムは、外部機器との間で通信を行う第１の通信部と固有の識別情報とを有する情報端末と、外部機器との間で通信を行う第２の通信部と識別情報を読み取る識別情報読取部とを有する情報入力端末とを備え、前記情報入力端末は前記情報端末が有する固有の識別情報を読み取り、かつ読み取った識別情報を有する情報端末と通信を行うものである。
【０００９】
この構成により、情報入力端末が情報端末の有する固有の識別情報を読み取り、そして、情報入力端末はその情報端末と通信を行うことができるので、従来の技術で言う、ホストならびにホスト内の物品管理マスタと端末管理マスタが不要になり、安価で、かつ物品管理マスタのテーブル作成の煩わしさから開放されるとともに、通信相手の設定を簡単にすることにより操作性を良くできる。
【００１０】
また本発明の情報通信システムは、外部機器との間で通信を行う第１の通信部と固有の識別情報とを有する情報端末と、外部機器との間で通信を行う第２の通信部と識別情報を読み取る識別情報読取部とを有する情報入力端末とを備え、前記情報入力端末は前記情報端末が有する固有の識別情報を読み取り、かつ読み取った識別情報を有する前記情報端末とのみ通信を行うように、前記情報入力端末と前記情報端末とを一対一に対応付けたものである。
【００１１】
また本発明の情報通信システムは、外部機器との間で通信を行う第１の通信部と固有の識別情報とを有する情報端末と、外部機器との間で通信を行う第２の通信部と識別情報を読み取る識別情報読取部とを有する複数の情報入力端末とを備え、複数の前記情報入力端末は前記情報端末が有する固有の識別情報を読み取り、かつ読み取った識別情報を有する１つの情報端末とのみ通信を行うように、複数の前記情報入力端末と前記情報端末とを複数対一に対応付けたものである。
【００１２】
また、本発明の情報通信システムは、情報端末として通信アダプタとしたものである。
【００１３】
この構成により、情報通信システムにあって、情報入力端末は通信アダプタが有する固有の識別情報を読み取り、その通信アダプタと通信を行うことができる。
【００１４】
また、本発明の情報通信システムは、通信アダプタに第３の通信部を備えるものである。
【００１５】
この構成により、情報通信システムにあって、情報入力端末は通信アダプタが有する固有の識別情報を読み取り、その通信アダプタと通信を行うことができ、さらに通信アダプタは他の端末とも通信することができる。
【００１６】
また本発明の情報通信システムは、外部機器との間で通信を行う第１の通信部と固有の識別情報とを有する情報出力装置と、外部機器との間で通信を行う第２の通信部と識別情報を読み取る識別情報読取部とを有する情報入力端末とを備え、前記情報入力端末は前記情報出力装置が有する固有の識別情報を読み取り、かつ読み取った識別情報を有する情報出力装置と通信し、前記情報出力装置は前記情報入力端末が有する情報を出力するものである。
【００１７】
この構成により、情報通信システムにあって、情報入力端末は情報出力装置が有する固有の識別情報を読み取り、その情報出力装置と通信を行うことができる。
【００１８】
また本発明の情報通信システムは、外部機器との間で通信を行う第１の通信部と固有の識別情報とを有する情報出力装置と、外部機器との間で通信を行う第２の通信部と識別情報を読み取る識別情報読取部とを有する情報入力端末とを備え、前記情報入力端末は前記情報出力装置が有する固有の識別情報を読み取り、かつ読み取った識別情報を有する情報出力装置とのみ通信を行うように前記情報入力端末と前記情報出力装置とを一対一に対応付けたものである。
【００１９】
また本発明の情報通信システムは、外部機器との間で通信を行う第１の通信部と固有の識別情報とを有する情報出力装置と、外部機器との間で通信を行う第２の通信部と識別情報を読み取る識別情報読取部とを有する複数の情報入力端末とを備え、複数の前記情報入力端末は前記情報出力装置が有する固有の識別情報を読み取り、かつ読み取った識別情報を有する１つの情報出力装置とのみ通信を行うように、複数の前記情報入力端末と前記情報出力装置とを複数対一に対応付けたものである。
【００２０】
また本発明の情報通信システムは、情報出力装置として設置可能または携帯可能なプリンタにしたものである。
【００２１】
本発明の情報通信システムは、情報入力端末としてバーコードリーダを使用し、識別情報はバーコードである。
【００２２】
また本発明の情報通信システムは、情報入力端末として２次元コードリーダを使用し、識別情報は２次元コードである。
【００２３】
また本発明の情報通信システムは、情報入力端末としてタグリーダライタを使用し、識別情報はタグに記憶されているものである。
【００２４】
また本発明の情報通信システムは、無線により通信を行う構成である。
【００２５】
また本発明の情報通信システムは、光通信により通信を行う構成である。
【００２６】
この構成により、光通信により情報端末と情報入力端末とが通信ができる。
【００２７】
また本発明の情報通信システムは、情報入力端末が不揮発メモリまたはバックアップされた揮発性メモリを備え、読み取った識別情報を、前記不揮発性メモリまたはバックアップされた前記揮発性メモリに記憶するものである。
【００２８】
この構成により、情報通信システムは、情報入力端末が読み取った識別情報を、不揮発性メモリまたはバックアップされた揮発性メモリに記憶することができる。
【００２９】
また本発明の情報通信システムは、情報入力端末がキー入力部を備え、所定のキーを押しながら読み取った識別情報のみを有効とするものである。
【００３０】
この構成により、情報通信システムは、情報入力端末が所定のキーを押しながら読み取った識別情報のみを有効とすることができる。
【００３１】
また本発明の情報通信システムは、情報入力端末がキー入力部を備え、識別情報を読み取った後、所定のキーを押したときのみ、読み取った識別情報を有効とするものである。
【００３２】
また本発明の情報通信システムは、情報入力端末がキー入力部とタイマを備え、所定のキーを押してから前記タイマの所定時間が経過するまでの間に読み取った識別情報のみを有効とするものである。
【００３３】
また本発明の情報通信システムは、情報入力端末はタイマを備え、電源投入時から前記タイマの所定時間が経過するまでの間に読み取った識別情報のみを有効とするものである。
【００３４】
この構成により、情報通信システムは、電源投入時から所定時間内に読み取った識別情報のみを有効とすることができる。
【００３５】
また本発明の情報入力端末は、情報端末が有する固有の識別情報を読み取る識別情報読取部と、前記情報端末と通信を行う通信部とを備え、前記情報端末の識別情報を読み取り、かつ読み取った前記識別情報を有する前記情報端末と通信を行うものである。
【００３６】
この構成により、情報入力端末は、読み取った識別情報を有する情報端末と通信を行うことができる。
【００３７】
また本発明の情報入力端末は、情報端末が有する固有の識別情報を読み取る識別情報読取部と、前記情報端末と通信を行う通信部とを備え、前記情報端末の識別情報を読み取り、かつ読み取った前記識別情報を有する前記情報端末とのみ通信を行うように前記情報端末と一対一に対応付けたものである。
【００３８】
また、本発明の情報入力端末は、情報端末として通信アダプタとしたものである。
【００３９】
この構成により、情報入力端末は通信アダプタが有する固有の識別情報を読み取り、その通信アダプタと通信を行うことができる。
【００４０】
また、本発明の情報入力端末は、情報端末として第３の通信部を有する通信アダプタとしたものである。
【００４１】
この構成により、情報入力端末は通信アダプタが有する固有の識別情報を読み取り、その通信アダプタと通信を行うことができ、さらに通信アダプタは他の端末とも通信することができる。
【００４２】
また本発明の情報入力端末は、情報出力装置が有する固有の識別情報を読み取る識別情報読取部と、前記情報出力装置と通信を行う通信部とを備え、前記情報出力装置の識別情報を読み取り、かつ読み取った前記識別情報を有する前記情報出力装置と通信を行うものである。
【００４３】
この構成により、情報入力端末は、情報出力装置が有する固有の識別情報を読み取り、その情報出力装置と通信を行うことができる。
【００４４】
また本発明の情報入力端末は、情報出力装置が有する固有の識別情報を読み取る識別情報読取部と、前記情報出力装置と通信を行う通信部とを備え、前記情報出力装置の識別情報を読み取り、かつ読み取った前記識別情報を有する前記情報出力装置とのみ通信を行うように前記情報出力装置と一対一に対応付けたものである。
【００４５】
また本発明の情報入力端末は、不揮発メモリまたはバックアップされた揮発性メモリを備え、読み取った識別情報を、前記不揮発性メモリまたはバックアップされた前記揮発性メモリに記憶するものである。
【００４６】
また本発明の情報入力端末は、キー入力部を備え、所定のキーを押しながら読み取った識別情報のみを有効とするものである。
【００４７】
また本発明の情報入力端末は、キー入力部を備え、識別情報を読み取った後、所定のキーを押したときのみ、読み取った識別情報を有効とするものである。
【００４８】
また本発明の情報入力端末は、キー入力部とタイマを備え、所定のキーを押してから前記タイマの所定時間が経過するまでの間に読み取った識別情報のみを有効とするものである。
【００４９】
また本発明の情報入力端末は、タイマを備え、電源投入時から前記タイマの所定時間が経過するまでの間に読み取った識別情報のみを有効とするものである。
【００５０】
また本発明の情報入力端末は、携帯可能なプリンタが有するバーコードで表される識別情報を読み取る識別情報読取部と、前記プリンタと通信を行う通信部とを備え、前記プリンタの識別情報を読み取り、かつ読み取った前記識別情報を有する前記プリンタと通信を行うバーコードリーダである。
【００５１】
また本発明の情報入力端末は、携帯可能なプリンタが有するバーコードで表される識別情報を読み取る識別情報読取部と、前記プリンタと通信を行う通信部とを備え、前記プリンタの識別情報を読み取り、かつ読み取った前記識別情報を有する前記プリンタとのみ通信を行うように前記プリンタと一対一に対応付けたバーコードリーダである。
【発明の効果】
【００５２】
以上の説明から明らかなように本発明は、情報入力端末と通信を行う相手の機器の識別情報を、情報入力端末が読み取るだけで通信が可能になり、情報入力端末にとっては相手先を選択する処理が簡単になり操作者の負担を軽減でき、相手の機器にとっては、相手を選択する処理が不要になり、さらにホストならびにホスト内の情報管理マスタと端末管理マスタが不要になりシステム全体での処理を簡単にできる。
【発明を実施するための最良の形態】
【００５３】
上記した本発明の目的は、各請求項に記載した構成を実施の形態とすることにより達成できるので、以下には請求項１ないし３２に対応する具体的な実施の形態を図１〜図１０にしたがい説明する。
【００５４】
（実施の形態１）
図１は、本発明の実施の形態１における情報通信システムを示す構成図で、図２〜図５は同情報通信システムの要部の流れ図である。本実施の形態において、従来の技術の構成を示す図１１と同じ構成並びに作用効果を奏する部分には同じ符号を用い詳細な説明は省略する。
【００５５】
図１において、２０は携帯の情報端末で、ＰＤＡ（Ｐｅｒｓｏｎａｌ  Ｄｉｇｉｔａｌ Ａｓｓｉｓｔａｎｔ）やＰＣなどを用い、第１の通信部２２である無線通信装置を内蔵あるいは外部に備える。本実施の形態では、第１の通信部２２として、Ｂｌｕｅｔｏｏｔｈ無線を情報端末２０に内蔵して用いた。２１は情報入力端末２６に内蔵された通信部としての第２の通信部で、第１の通信部２２と同じＢｌｕｅｔｏｏｔｈ無線を内蔵して用いた。２３は不揮発性のメモリで、２４は情報入力端末２６に内蔵されたタイマである。情報入力端末２６はマイクロコンピュータおよびその周辺回路により構成されている。図中、２７、２８は情報入力端末２６と情報端末２０のそれぞれアンテナで、２９は電波を示す。
【００５６】
以上のように構成された情報通信システムについて、その動作を説明する。バーコードリーダ等の情報入力端末２６に内蔵されている識別情報読取部であるバーコード読取部２で、情報端末２０に貼られている、もしくは印字されている情報端末２０が有する固有の識別情報を示すバーコード１３を読み取り、情報入力端末２６に内蔵されている不揮発性のメモリ２３に登録する。そして、情報入力端末２６は、バーコード読取部２での読み取りにより登録された識別情報を持つ相手である、情報端末２０とのみ通信を行う。このように通信を行う関係にあって、情報端末２０と情報入力端末２６とは、互いに外部機器の関係になるものである。
【００５７】
なお、不揮発性のメモリとは、ＥＥＰＲＯＭ（Ｅｌｅｃｔｒｉｃａｌ  Ｅｒａｓａｂｌｅ  Ｐｒｏｇｒａｍｍａｂｌｅ  Ｄｅａｄ−Ｏｎｌｙ  Ｍｅｍｏｒｙ）で代表されるメモリの電源を切断してもその記憶内容が保持されるメモリのことである。また、不揮発性メモリの代わりにＳＲＡＭ（Ｓｔａｔｉｃ  Ｒａｎｄｏｍ  Ａｃｃｅｓｓ  Ｍｅｍｏｒｙ）で代表されるメモリの電源を切断するとその記憶内容が保持されない揮発性のメモリを、機器に内蔵された電池などの電源からメモリへ電源を供給することにより記憶内容が保持されるバックアップされた揮発性のメモリを用いても良い。
【００５８】
また不揮発性のメモリ２３に識別情報を登録する方法として、上記のように情報端末２０が有する固有の識別情報を示すバーコード１３を、情報入力端末２６が読み取るだけで登録することも可能ではあるが、識別情報と似ている、もしくは同一のバーコードが、一般の商品に貼られ、そのバーコードを読ませた場合、誤ってその商品のバーコードを識別情報として登録されてしまうこともある。それを防ぐために、識別情報のバーコードを特殊なものとする必要があるが、管理が煩わしくなる。
【００５９】
そこで図２に示すように、情報入力端末２６はキー入力部としてのキー３のなかで所定のキーを押しながら情報端末２０に貼られている、もしくは印字されている情報端末２０が有する固有の識別情報を示すバーコード１３を、ステップ（以下、Ｓと記述する）１００で読み取った場合のみ、情報入力端末２６に内蔵されている不揮発性のメモリ２３に登録する（Ｓ１０１）ことにより、その識別情報を有効にするようにしても構わない。
【００６０】
また情報入力端末２６は、図３に示すように情報端末２０に貼られている識別情報を示すバーコード１３を読み取った（Ｓ１１０）後、キー３のなかで所定のキーを押した場合（Ｓ１１１）のみ、情報入力端末２６に内蔵されている不揮発性のメモリ２３に登録する（Ｓ１１２）ことにより、その識別情報を有効にするようにしても構わない。
【００６１】
さらに情報入力端末２６は、図４に示すようにキー３のなかで所定のキーを押した（Ｓ１２０）後、所定のキーの押し下げと同時に動作したタイマ２４に設定された所定時間が経過するまでの間（Ｓ１２２）に情報端末２０に貼られている識別情報を示すバーコード１３を読み取った（Ｓ１２１）場合のみ、情報入力端末２６に内蔵されている不揮発性のメモリ２３に登録する（Ｓ１２３）ことにより、その識別情報を有効にするようにしても構わない。
【００６２】
さらに情報入力端末２６は、図５に示すように電源を投入した（Ｓ１３０）後、電源投入と同時に動作したタイマ２４に設定された所定時間が経過するまでの間（Ｓ１３２）に情報端末２０に貼られている識別情報を示すバーコード１３を読み取った（Ｓ１３１）場合のみ、情報入力端末２６に内蔵されている不揮発性のメモリ２３に登録（Ｓ１３３）することにより、その識別情報を有効にするようにしても構わない。
【００６３】
以上のように本実施の形態１では、情報端末２０は必ず情報入力端末２６側が情報端末２０のバーコード１３を読み取ることにより相手を見つけるため、情報端末２０側で相手を探すための「問い合わせ」処理、ならびに複数の相手先が見つかった場合の「選択」処理が不要となり、さらに、ホストならびにホスト内の情報管理マスタと端末管理マスタが不要になるため、システムを簡単にすることができる。また「問い合わせ」処理や、「選択」処理に必要な時間を省くことができ、迅速に通信ができ、作業効率が向上する。
【００６４】
また、不揮発性のメモリ２３に識別情報を保持することにより、情報入力端末２６の電源を切断し、再度電源を投入した場合においても、電源を切断する前に読み取った識別情報が保持されているため、情報入力端末側２６に内蔵されているバーコード読取部２で、情報端末２０に貼られている識別情報を示すバーコード１３を再度読み取る必要がなくなる。
【００６５】
本実施の形態１で使用したＢｌｕｅｔｏｏｔｈ無線の場合、一般的には自分自身（本実施の形態１では、情報入力端末２６）と通信が可能な相手を探すために「問い合わせ」を行うが、本実施の形態１によれば、情報入力端末２６側も、通信相手を見つける処理である「問い合わせ」が不要になる。
【００６６】
さらに、一般には情報入力端末２６の周囲に通信可能な情報端末２０が複数ある場合、「問い合わせ」をすると複数の接続相手先の識別情報が見つかり、その中から情報入力端末２６の操作者が通信したい相手を「選択」する処理が必要であるが、識別情報を、例えば型番とシリアル番号で表わすこととした場合、製造者は情報端末２０とそのシリアル番号を一対一で管理しなくてはならなくなり、管理が煩わしくなる。そのため識別情報はランダムな英数字などで表されることが多く、操作者が相手先を特定することが困難になる。
【００６７】
然るに本実施の形態１によれば、情報入力端末２６は、相手先の設定が、通信したい相手の情報端末２０のバーコード１３を読み取るだけでよいため、簡単に操作者が設定することができるとともに、「問い合わせ」処理や、「選択」処理に必要な時間を省くことができ、迅速に通信ができる。
【００６８】
なお、本実施の形態１で識別情報とは、Ｂｌｕｅｔｏｏｔｈ無線の場合Ｂｌｕｅｔｏｏｔｈアドレスと呼ばれるＢｌｕｅｔｏｏｔｈモジュールメーカが付与する一連のシリアル番号と、Ｂｌｕｅｔｏｏｔｈ無線機器のメーカが付加することのできる認証のためのＰＩＮコードと呼ばれるものの、どちらか一方もしくは両方を指す。
【００６９】
さらに本実施の形態１では、図２から図５の流れ図で示した方法によれば、特殊なバーコードを管理する煩わしさから開放されるとともに、一般の商品に貼られたバーコードを読み取って、その商品のバーコードを通信相手の識別情報と誤ることを防ぐことができる。特に図５で示した電源投入から所定時間内を過ぎると識別情報を登録できなくしているので、図２から図４の例で示したようなキー操作も必要ないなど、さらに簡単に識別情報を登録することができる。
【００７０】
なお、本実施の形態１では、識別情報をバーコードで表示したが、バーコードの代わりに２次元コードであっても、荷札であるタグ（ＩＣタグ）であっても構わない。２次元コードを使用した場合、バーコード読取部２の代わりに２次元コード読取部に、タグを使用した場合、バーコード読取部２の代わりにタグ読取書込部になることは言うまでもない。また、第１の通信部２２と第２の通信部２０は、無線としたが光通信としても有線でも構わない。光通信とした場合、光の届く範囲の複数の機器との通信が可能になるため、無線接続と同じように通信相手を操作者が選択する必要があるが、本実施の形態によれば容易に通信相手を選択することができる。また有線でＬＡＮ接続されている場合、複数の機器がＬＡＮに接続されているため、無線接続の場合と同じように通信相手を選択する必要があるが、本実施の形態によれば容易に通信相手を選択することができる。また、情報入力端末２６と情報端末２０は一対一の通信でも、複数対一の通信でも構わない。
【００７１】
（実施の形態２）
図６は、本発明の実施の形態２における情報通信システムの構成図を示す。本実施の形態において、従来の技術の構成を示す図１１並びに実施の形態１の図１と同じ構成並びに作用効果を奏する部分には同じ符号を用いて詳細な説明は省略する。そして、図１と異なるのは、情報端末２０を情報出力装置であるラベルプリンタ１１とした点である。
【００７２】
以上のように構成された情報通信システムについて、その動作を説明する。情報入力端末２６に内蔵されているバーコード読取部２で、ラベルプリンタ１１に貼られている、もしくは印字されているラベルプリンタ１１が有する固有の識別情報を示すバーコード１３を読み取り、情報入力端末２６に内蔵されている不揮発性のメモリ２３に登録する。情報入力端末２６は、バーコード読取部２で読み取りにより登録された識別情報を持つ相手とのみ通信を行う。
【００７３】
なお、図７に示すように図６のラベルプリンタ１１は、携帯型のプリンタ２５としてもよい。一般に携帯型のプリンタの場合、操作者が入力情報端末２６と携帯型プリンタ２５を同時に携帯し、入力情報端末２６で読み取った商品のデータとそのデータに応じた内容を携帯型プリンタ２５で出力し、出力されたラベル１２を操作者が、読み取った商品に貼り付ける。また通常、入力情報端末２６と携帯型プリンタ２５は、一組で使用し、予め相互に無線通信が可能なように、入力情報端末２６が携帯型プリンタ２５の所有する固有の識別情報を得ているが、例えば急に通信相手の携帯型プリンタ２５が故障したとき、代替の携帯プリンンタ（図示せず）の識別情報を入力情報端末２６に入力する必要があるが、本実施の形態では代替の携帯プリンンタの識別情報を示すバーコードラベルを、入力情報端末２６が読み取るだけで通信が可能になり、このような急に発生するトラブルの処置も迅速に対応できる。
【００７４】
以上のように本実施の形態２では、ラベルプリンタ１１もしくは携帯プリンタ２５は必ず情報入力端末２６側がラベルプリンタ１１もしくは携帯プリンタ２５のバーコード１３を読み取ることにより相手を見つけるため、ラベルプリンタ１１もしくは携帯プリンタ２５側で相手を探すための「問い合わせ」処理、ならびに複数の相手先が見つかった場合の「選択」処理が不要となり、システムを簡単にすることができる。また「問い合わせ」処理や、「選択」処理に必要な時間を省くことができ、迅速に通信ができる。
【００７５】
さらに本実施の形態２では、ラベルプリンタ１１もしくは携帯プリンタ２５は、送信されてきたコマンドやデータが正しければ、印字してしまうのである。すなわち、実施の形態１における図１の場合、仮に情報入力端末２６と情報端末２０が誤って通信したとしても、情報端末２０はＰＤＡやＰＣなので、プログラムにより内容をチェックし、適切な相手先でなければ通信内容を削除したり、通信を行わないとすることも可能ではあるが、本実施の形態における図６に示すラベルプリンタ１１もしくは図７に示す携帯プリンタ２５は、送信されてきたコマンドやデータが正しければ、印字してしまう。従って、本実施の形態２によれば、誤った情報出力装置に、出力されることを防ぐことができる。
【００７６】
（実施の形態３）
図８は、本発明の実施の形態３における情報通信システムの構成図を示す。本実施の形態において、従来の技術の構成を示す図１１並びに実施の形態１の図１並びに実施の形態２の図６と同じ構成並びに作用効果を奏する部分には同じ符号を用いて詳細な説明は省略する。そして、図６と異なるのは、情報出力装置であるラベルプリンタ１１を通信アダプタ３０とし、ＰＣ１０と接続した点である。
【００７７】
つまり、実施の形態１に記載した図１の情報端末２０では内蔵していた第１の通信部２２を、本実施の形態では外部に備え通信アダプタ３０とし、通信アダプタ３０にバーコード１３を貼り付けたものである。
【００７８】
以上のように構成された情報通信システムについて、その動作を説明する。情報入力端末２６に内蔵されているバーコード読取部２で、ＰＣ１０にケーブル３２で接続された通信アダプタ３０に貼られている、もしくは印字されている通信アダプタ３０が有する固有の識別情報を示すバーコード１３を読み取り、情報入力端末２６に内蔵されている不揮発性のメモリ２３に登録する。情報入力端末２６は、バーコード読取部２で読み取りにより登録された識別情報を持つ相手とのみ通信を行う。３１は通信インターフェイスで、ＰＣ１０との通信のためのインターフェイスであり、本発明の形態では、ＲＳ２３２Ｃ規格のインターフェイスとしたが、ＵＳＢ（Ｕｎｉｖｅｒｓａｌ  Ｓｅｒｉａｌ  Ｂｕｓ）規格としても構わない。さらにケーブル３２を用いずに、直接ＰＣ１０に付属のＵＳＢコネクタに通信アダプタ３０を差し込むことにより接続するようにしても良い。
【００７９】
このように、情報端末であるＰＣ１０の外部に、第１の通信部を備える通信アダプタ３０を構成とすることにより、無線通信機能を内蔵していないＰＣなどの情報端末であっても無線で通信可能になる。さらに、通信アダプタ３０を他のＰＣ等の情報端末へ付け替えても通信アダプタに識別情報であるバーコード１３を貼っているため、この通信アダプタ３０のバーコード１３を読み取るだけで容易に情報入力端末２６は無線機能を内蔵していないＰＣ１０と無線通信ができる効果がある。
【００８０】
（実施の形態４）
図９は、本発明の実施の形態４における情報通信システムの構成図を示す。本実施の形態において、従来の技術の構成を示す図１１並びに実施の形態１の図１並びに実施の形態２の図６並びに実施の形態３の図８と同じ構成並びに作用効果を奏する部分には同じ符号を用いて詳細な説明は省略する。そして、図８と異なるのは、図８の通信アダプタ３０に、第３の通信部３３を備え通信アダプタ３６とした点である。
【００８１】
以上のように構成された情報通信システムについて、その動作を説明する。情報入力端末２６に内蔵されているバーコード読取部２で、通信アダプタ３０に貼られている、もしくは印字されている通信アダプタ３６が有する固有の識別情報を示すバーコード１３を読み取り、情報入力端末２６に内蔵されている不揮発性のメモリ２３に登録する。情報入力端末２６は、バーコード読取部２で読み取りにより登録された識別情報を持つ相手とのみ通信を行う。ここで３５は２７や２８と同じくアンテナで、３４は２９と同じく電波を示す。
【００８２】
このような構成とすることにより、第３の通信部３３を第１の通信部２２と第２の通信部２１の通信規格と異なる無線通信規格とし、他の機器（図示せず）とも通信が可能になる。本発明の形態では、第１の通信部２２と第２の通信部２１の間の通信には、実施の形態１にも記載したＢｌｕｅｔｏｏｔｈ無線とし、第３の通信部３３の規格をＰＨＳ無線とした。
【００８３】
このような構成とすることにより、情報入力端末２６は、第３の通信部３３であるＰＨＳ無線を内蔵する必要がなくなる。
【００８４】
一般にＰＨＳ無線は、Ｂｌｕｅｔｏｏｔｈ無線に比べて、消費電力やサイズが大きくなる。
【００８５】
このため、情報入力端末２６にＰＨＳ無線を内蔵する場合に比べて、消費電力が少なくて済む。情報入力端末２６は、電池で駆動するものが多く、動作時間が長くなるという効果がある。
【００８６】
さらに、ＰＨＳ無線を内蔵する場合に比べて小型で軽量にでき、特に情報入力端末２６が携帯端末である場合、通信アダプタ３６は、近くの机の上やカバンの中、ポケットの中や腰につけるなど手に持たずに済むので操作性の良いものになるとともに、情報入力端末２６にＰＨＳ無線を内蔵する場合に比べて軽量にできるために、落下させた場合にも壊れにくくなるという効果もある。
【００８７】
なお、第３の通信部３３をＰＨＳ無線としたが、図９の通信アダプタ３６の第３の通信部３３の代わりに、図１０に示すようにコネクタ３８を設ける構成として通信アダプタ３７としても良い。
【００８８】
このような構成とすることにより、コネクタ３８に無線モジュール３９を挿入することにより、それぞれの無線モジュール３９が対応しているＰＨＳ無線、ＤＯＰＡ無線、ＦＯＭＡ無線など、目的に応じた各種の無線に対応が容易に可能になる。本発明の実施の形態では、コネクタ３８をＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格のコネクタとしたが、ＣＦ（Ｃｏｍｐａｃｔ  Ｆｌａｓｈ）規格のコネクタでも、ＳＤＩＯ（Ｓｅｃｕｒｅ  Ｄｉｇｉｔａｌ  Ｉｎｐｕｔ／Ｏｕｔｐｕｔ）規格のコネクタでも、その他の規格のコネクタでも構わない。
【００８９】
また、無線規格毎の動作のためには、それぞれ異なるプログラムが必要であるが、通信アダプタ３７が各種無線規格に対応することにより、情報入力端末２６の内部には、それら無線規格毎のプログラムが不要になり、情報入力端末２６自身が各種無線規格に対応する場合に比べてメモリ容量を削減することができる。
【００９０】
このことは情報入力端末２６のメモリを削減することにより、情報入力端末２６を小型にすることができ、特に携帯型である場合、操作性がよくなる効果もある。
【００９１】
一方無線規格毎のプログラムが通信アダプタ３７に必要になりメモリの容量が増加するが、図９の説明でも記述したように、通信アダプタ３７は必ずしも携帯させる必要がなく、近くの机の上やカバンの中、ポケットの中や腰につけるなどするため、少し重くなっても操作性には影響が少ない。
【００９２】
なお、本発明の形態では、第１の通信部２２と第２の通信部２１の間の通信と、第３の通信部３３の無線規格を異なるものとしたが、同一規格のものとして、通信アダプタ３６または３７を、無線の通信距離を伸ばす目的のための無線の中継局として使用しても構わない。
【産業上の利用可能性】
【００９３】
本発明の情報通信システムは、情報入力端末と通信を行う相手の機器の識別情報を、情報入力端末が読み取るだけで通信が可能になり、バーコードや２次元コード等で表された情報を読み取るバーコードリーダ等を用いた情報通信システム等として有用である。
【図面の簡単な説明】
【００９４】
【図１】本発明の実施の形態１における情報通信システムの構成図
【図２】同実施の形態１における情報通信システムの処理の一例を示す流れ図
【図３】同実施の形態１における情報通信システムの処理の他例を示す流れ図
【図４】同実施の形態１における情報通信システムの処理の他例を示す流れ図
【図５】同実施の形態１における情報通信システムの処理の他例を示す流れ図
【図６】本発明の実施の形態２における情報通信システムの構成図
【図７】同実施の形態２における情報通信システムの他の例を示す構成図
【図８】本発明の実施の形態３における情報通信システムの構成図
【図９】本発明の実施の形態４における情報通信システムの構成図
【図１０】本発明の実施の形態４における情報通信システムの他の例を示す構成図
【図１１】従来の情報通信システムの構成図
【符号の説明】
【００９５】
２  バーコード読取部（識別情報読取部）
３  キー（キー入力部）
１１  ラベルプリンタ（情報出力装置）
１３  バーコード（識別情報）
２０  情報端末
２１  第２の通信部（通信部）
２２  第１の通信部
２３  不揮発性メモリ
２４  タイマ
２５  携帯プリンタ（情報出力装置）
２６  情報入力端末（バーコードリーダ）
３０  通信アダプタ
３３  第３の通信部
３６  通信アダプタ（第３の通信部である無線モジュールを内蔵）
３７  通信アダプタ（第３の通信部である無線モジュールを外部接続）
【図１】
2004280774.tif 000003
【図２】
2004280774.tif 000004
【図３】
2004280774.tif 000005
【図４】
2004280774.tif 000006
【図５】
2004280774.tif 000007
【図６】
2004280774.tif 000008
【図７】
2004280774.tif 000009
【図８】
2004280774.tif 000010
【図９】
2004280774.tif 000011
【図１０】
2004280774.tif 000012
【図１１】
2004280774.tif 000013